(57)【要約】【課題】不特定の携帯振動端末装置の振動を検出して、検出した振動に応じた報知内容を報知することができる振動検出報知装置を提供する。【解決手段】測定部１０３は、携帯振動端末装置１６の外観または重量を測定する。振動検出部１０２は、携帯振動端末装置１６の振動を検出する。制御部１５は、測定部１０３で測定された測定情報及び振動検出部１０２で検出された振動に基づいて、報知パターンを取得する。報知部１３は、制御部１５で取得された報知パターンに基づいて報知を行う。【選択図】図１
2017005360.tif 000002
【特許請求の範囲】
【請求項１】
携帯振動端末装置の外観または重量を測定する測定部と、
前記携帯振動端末装置の振動を検出する振動検出部と、
前記測定部で測定された測定情報及び前記振動検出部で検出された振動に基づいて、報知パターンを取得する制御部と、
前記制御部で取得された報知パターンに基づいて報知を行う報知部と、
前記制御部で取得された報知パターンに基づいて、報知装置に報知指令を与える出力部と
を有することを特徴とする振動検出報知装置。
【請求項２】
前記測定情報とは、前記携帯振動端末装置の重量、大きさ、形状のうち少なくとも一つを含むことを特徴とする請求項１記載の振動検出報知装置。
【請求項３】
前記携帯振動端末装置の種類、前記携帯振動端末装置の測定情報、前記携帯振動端末装置の振動パターン及び報知パターンが対応付けて登録された記憶部を備え、
前記制御部は、前記振動検出部で検出された振動に基づいて前記携帯振動端末装置の振動パターンを抽出し、前記記憶部を参照することにより、前記測定部で測定された測定情報に基づいて前記携帯振動端末装置の種類を特定し、前記携帯振動端末装置の種類及び振動パターンに基づいて報知パターンを前記記憶部から取得する
ことを特徴とする請求項１または２に記載の振動検出報知装置。
【請求項４】
前記制御部は、前記振動検出部で振動が検出された前記携帯振動端末装置の測定情報及び振動パターンが前記記憶部に登録されていない場合には、報知パターンを作成して取得する
ことを特徴とする請求項３に記載の振動検出報知装置。
【請求項５】
前記制御部は、前記振動検出部で振動が検出された前記携帯振動端末装置の測定情報及び振動パターンが前記記憶部に登録されていない場合には、前記携帯振動端末装置の種類、前記携帯振動端末装置の測定情報、前記携帯振動端末装置の振動パターン及び報知パターンを対応付けて前記記憶部に記憶して登録するか否かを確認する確認メッセージを前記報知部に表示する
ことを特徴とする請求項３または４に記載の振動検出報知装置。
【請求項６】
前記制御部は、使用者が前記確認メッセージを参照して、登録を選択した場合には、使用者が入力する前記携帯振動端末装置の種類及び報知パターンと、前記振動検出部で振動が検出された前記携帯振動端末装置の測定情報及び振動パターンとを対応付けて前記記憶部に記憶して登録する
ことを特徴とする請求項５に記載の振動検出報知装置。
【請求項７】
前記測定部により前記携帯振動端末装置の外観または重量を測定する場合、及び、前記振動検出部により前記携帯振動端末装置の振動を検出する場合は、載置台に載置される
ことを特徴とする請求項１から６のいずれか１項に記載の振動検出報知装置。
【請求項８】
携帯振動端末装置の外観または重量を測定し、
前記携帯振動端末装置の振動を検出し、
測定された測定情報及び検出された振動に基づいて報知パターンを取得し、
取得した報知パターンに基づいて報知を行う
ことを特徴とする振動検出報知方法。
【請求項９】
コンピュータに、
携帯振動端末装置の外観または重量を測定部に測定させる機能と、
前記携帯振動端末装置の振動を振動検出部に検出させる機能と、
前記測定部で測定された前記携帯振動端末装置の測定情報と前記振動検出部で検出された前記携帯振動端末装置の振動に基づいて報知パターンを取得する機能と、
取得した報知パターンに基づいて報知を報知部に行わせる機能と、
取得した報知パターンに基づいて、報知装置に報知指令を与える機能と
を実現させることを特徴とする振動検出報知プログラム。
【発明の詳細な説明】
【技術分野】
【０００１】
本発明は、携帯振動端末装置の振動を検出し、検出した振動に応じた報知内容を報知する振動検出報知装置に関する。
【背景技術】
【０００２】
従来、この種の技術としては、例えば特許文献１に記載されたものが知られている。同文献１には、携帯電話を保持するホルダが携帯電話の着信時の振動を検出すると、ホルダは携帯電話とは別体の着信報知部に通信し、着信報知部が着信を報知する着信装置が記載されている。
【０００３】
この着信装置では、携帯電話は携帯電話の形状に対応した専用のホルダに装着されて、振動が検出される。
【先行技術文献】
【特許文献】
【０００４】
【特許文献１】特開２００３−２１８９８９号公報
【発明の概要】
【発明が解決しようとする課題】
【０００５】
このため、例えば形状が異なる機種の携帯電話は、ホルダに装着することができなかった。また、振動により着信などを報知する携帯電話以外の他の携帯振動端末装置などもホルダに装着することができなかった。
【０００６】
したがって、従来の着信装置は、ホルダに装着できる特定の携帯電話しか振動を検出して、別体の着信報知部が着信を報知することができなかった。すなわち、従来の着信装置は、ホルダに装着できない不特定の携帯振動端末装置に対して別体の着信報知部が着信を報知することができなかった。
【０００７】
本発明の目的は、不特定の携帯振動端末装置の振動を検出して、検出した振動に応じた報知内容を報知することができる振動検出報知装置を提供することである。
【課題を解決するための手段】
【０００８】
本発明は、携帯振動端末装置の外観または重量を測定する測定部と、前記携帯振動端末装置の振動を検出する振動検出部と、前記測定部で測定された測定情報及び前記振動検出部で検出された振動に基づいて、報知パターンを取得する制御部と、前記制御部で取得された報知パターンに基づいて報知を行う報知部と、前記制御部で取得された報知パターンに基づいて、報知装置に報知指令を与える出力部とを有することを特徴とする振動検出報知装置を提供する。
【発明の効果】
【０００９】
本発明の振動検出報知装置によれば、不特定の携帯振動端末装置の振動を検出して、検出した振動に応じた報知内容を報知することができる。
【図面の簡単な説明】
【００１０】
【図１】本発明の実施形態に係る振動検出報知装置の構成を示すブロック図である。
【図２】本発明の実施形態に係る振動検出報知装置の模式的な外観を示す図である。
【図３】携帯電話における報知パターンの一例を示す図である。
【図４】ブレスレット型の携帯振動端末装置における報知パターンの一例を示す図である。
【図５】本発明の実施形態に係る振動検出報知動作の手順を示すフローチャートである。
【図６】本発明の実施形態に係る振動検出報知動作における登録動作の手順を示すフローチャートである。
【発明を実施するための形態】
【００１１】
以下、図面を用いて本発明を実施するための実施形態を説明する。
【００１２】
（実施形態）
図１及び図２を参照して、本発明の実施形態に係る振動検出報知装置の構成を説明する。図１は振動検出報知装置の構成ブロック図であり、図２は振動検出報知装置の模式的な外観の一例を示す模式図である。
【００１３】
図１及び図２において、振動検出報知装置１は、振動端末載置部１０、操作部１１、記憶部１２、報知部１３、出力部１４、制御部１５を備えている。
【００１４】
振動端末載置部１０は、載置台１０１、振動検出部１０２、測定部１０３を備えている。載置台１０１は、振動を検出しようとする携帯振動端末装置１６が載置される。
【００１５】
携帯振動端末装置１６としては、例えば携帯電話、携帯情報端末装置、ブレスレット型の振動端末装置、ページャ装置などが挙げられる。
【００１６】
携帯情報端末装置は、例えば電子メールなどを含む種々の情報を送受信したり保持できる装置であり、振動により着信などを知らせる。
【００１７】
ブレスレット型の振動端末装置は、装用して携帯できるウェアラブル端末装置などであり、振動により装用している使用者に報知を行う機能を備えた装置である。ブレスレット型の振動端末装置は、例えば使用者の手首に装着して、デジタル機器用の近距離無線通信規格を用いて使用者の携帯電話と通信することで、振動により着信などを知らせる装置が含まれる。
【００１８】
ページャ装置は、例えばデータを受信することによりメッセージなどが表示され、振動により着信を知らせる装置である。
【００１９】
振動検出部１０２は、載置台１０１に載置された携帯振動端末装置１６が着信などを知らせる振動を検出する。振動検出部１０２は、検出した振動を電気信号に変換し、変換で得られた電気信号を振動検出信号として制御部１５に与える。振動検出部１０２は、例えば振動を圧電効果により電圧に変換することで振動を電気的に検出するピエゾ抵抗素子や、振動の加速度を測定することにより振動を検出する加速度センサなどを備えて構成される。
【００２０】
測定部１０３は、携帯振動端末装置１６が載置台１０１に載置されて、載置台１０１に荷重が加わると、携帯振動端末装置１６の重量を測定する。測定部１０３は、測定した携帯振動端末装置１６の重量を測定情報として制御部１５に与える。
【００２１】
なお、実施形態では、測定部１０３は、携帯振動端末装置１６の重量を測定しているが、携帯振動端末装置１６の重量に代えて、携帯振動端末装置１６の形状や大きさなどの外観を測定するようにしてもよい。この場合には、測定部１０３は、測定した携帯振動端末装置１６の形状や大きさなどの外観を測定情報として制御部１５に与える。
【００２２】
操作部１１は、後述する携帯振動端末装置１６の登録処理に係る操作など、振動検出報知装置１で行われる各種操作を入力する。操作部１１は、入力された各種操作を制御部１５に与える。
【００２３】
記憶部１２は、制御部１５との間で記憶内容の入出力が行われる。記憶部１２は、制御部１５が各種制御を行う際に用いられる作業用メモリとして機能する。記憶部１２は、後述する制御プログラムを記憶する。
【００２４】
記憶部１２は、後述する携帯振動端末装置１６の登録処理により登録された携帯振動端末装置１６に係わる情報を記憶する。携帯振動端末装置１６に係わる情報としては、携帯振動端末装置１６の種類、携帯振動端末装置１６の重量、携帯振動端末装置１６の振動パターン、振動により知らせる報知内容及び報知パターンである。
【００２５】
携帯振動端末装置１６の種類は、上記した例えば携帯電話、携帯情報端末装置、ブレスレット型の振動端末装置、ページャ装置などの装置を特定するための情報である。また、携帯振動端末装置１６の種類は、同種の例えば携帯情報端末装置であってもサイズやバージョンなどの機能が異なる機種を特定する情報を含むことができる。
【００２６】
携帯振動端末装置１６の振動パターンは、携帯振動端末装置１６の振動を特定するための情報であり、例えば振動の振動数、振動の振れ幅（振幅）、振動している時間（振動時間）などで構成される。
【００２７】
報知内容は、振動パターンの違いにより使用者に知らせる内容、例えば携帯電話の着信や電子メールの着信などである。したがって、報知内容は、振動パターンによって特定される。
【００２８】
報知パターンは、報知内容を報知する構成部材及び報知の形態を示すものである。これらの携帯振動端末装置１６に係わる情報は、図３及び図４を参照して後述する一連の情報として対応付けられて記憶部１２に記憶される。
【００２９】
報知部１３は、例えばＬＥＤや液晶などのディスプレイを備えている。報知部１３は、携帯振動端末装置１６の振動による上記報知内容を、報知内容に応じた可視な表示形態で表示することにより報知する。可視な表示形態としては、例えばＬＥＤの点灯や点滅、文字や画像を液晶などのディスプレイに表示するなどである。報知部１３は、可視な表示形態に加えて音などを併用して報知内容を報知するようにしてもよい。
【００３０】
報知部１３は、液晶などのディスプレイに携帯振動端末装置１６の登録処理に係る表示を行う。
【００３１】
出力部１４は、振動検出報知装置１の外部に設けられた報知装置１７との間で無線もしくは有線により通信する通信機能を備えている。出力部１４は、振動検出部１０２で検出された振動に応じた報知指令を通信により報知装置１７に与える。出力部１４は、報知装置１７が後述する報知モードを選択できる場合には、報知モードを報知装置１７に出力する。
【００３２】
報知装置１７は、振動検出報知装置１の外部に設けられて、報知部１３が報知する報知内容と同様の報知内容を報知する装置である。報知装置１７は、振動検出報知装置１の出力部１４との間で無線もしくは有線により通信する通信機能を備えている。報知装置１７としては、例えばフラッシュライト１７−１やベッドシェーカ１７−２などが挙げられる。
【００３３】
フラッシュライト１７−１は、振動検出報知装置１の出力部１４から通信により与えられた報知指令に応じて、例えばＬＥＤを点灯もしくは点滅させたりして報知する。ベッドシェーカ１７−２は、枕などの寝具に設置され、振動検出報知装置１の出力部１４から通信により与えられた報知指令に応じて、振動により報知する。
【００３４】
報知装置１７は、報知モードを選択できる場合には、振動検出報知装置１の出力部１４から与えられた報知モードが設定され、設定された報知モードに応じて報知するか否かを決める。報知モードを選択できる場合に、報知モードは使用者が操作部１１を操作入力することで任意に選択することができる。
【００３５】
制御部１５は、振動検出報知装置１の動作を制御する制御中枢として機能し、振動検出報知装置１の動作を統括管理して制御する。制御部１５は、制御プログラムに基づいて各種動作処理を制御するコンピュータに必要なＣＰＵなどの資源を備えた例えばマイクロコンピュータにより構成することができる。
【００３６】
制御部１５は、記憶部１２に記憶されて振動検出報知装置１の全体の動作を制御する制御プログラムに基づいて振動検出報知装置１で実行される動作を制御する。本発明に係る振動検出報知方法は、制御部１５で制御プログラムに含まれる振動検出報知プログラムを実行することにより実現することができる。なお、制御プログラムは、制御部１５の内部に記憶部を設け、この記憶部に記憶させるようにしてもよい。
【００３７】
制御部１５は、大別して携帯振動端末装置１６の重量を測定し、かつ携帯振動端末装置１６の振動を検出し、重量及び振動に応じて報知を行う報知処理と、携帯振動端末装置１６を登録する登録処理とを制御する。報知処理及び登録処理は、図５及び図６を参照して後述する。
【００３８】
制御部１５は、振動端末載置部１０の振動検出部１０２及び測定部１０３、操作部１１、記憶部１２、報知部１３及び出力部１４が接続されている。
【００３９】
制御部１５は、振動検出部１０２で得られた振動検出信号を入力し、振動検出信号に基づいて、検出された振動の振動パターンを抽出する。
【００４０】
制御部１５は、測定部１０３で測定された携帯振動端末装置１６の重量を入力し、測定された重量及び抽出した振動パターンが記憶部１２に登録されているか否かを判別する。制御部１５は、重量及び振動パターンが登録されている場合には、重量及び振動パターンに対応して記憶部１２に記憶されている報知パターンを読み出す。制御部１５は、読み出した報知パターンに基づいて、報知部１３に報知指令を与える。制御部１５は、読み出した報知パターンに基づいて、出力部１４を介して報知装置１７に報知指令を与える。
【００４１】
制御部１５は、重量及び振動パターンが登録されていない場合には、報知パターンを作成し、作成した報知パターンに基づいて、報知部１３に報知指令を与える。制御部１５は、作成した報知パターンに基づいて、出力部１４を介して報知装置１７に報知指令を与える。
【００４２】
制御部１５は、測定された重量と抽出された振動パターンとを記憶部１２に登録するか否かを使用者に確認する確認メッセージを報知部１３に表示する。制御部１５は、使用者が測定された重量と抽出された振動パターンとを記憶部１２に登録する場合には、後述する登録処理を実行する。
【００４３】
制御部１５は、使用者による操作部１１からの操作入力に基づいて、記憶部１２に登録された上述の携帯振動端末装置１６に係る情報を適宜変更して設定する。
【００４４】
制御部１５は、操作部１１から与えられた操作を入力し、入力した操作に応じて振動検出報知装置１で実行される各種動作を制御する。
【００４５】
制御部１５は、報知部１３に報知指令を与え、報知パターンに基づいた報知を報知部１３に行わせる。
【００４６】
制御部１５は、記憶部１２との間で記憶内容を入出力し、記憶部１２に記憶された制御プログラムに基づいて、振動検出報知装置１で実行される各種動作を制御する。
【００４７】
制御部１５は、出力部１４が備えている通信機能を制御する。すなわち、出力部１４は、制御部１５の制御の下に報知装置１７との間で通信を行い、報知指令または後述する報知モードを報知装置１７に与える。
【００４８】
図３及び図４は、携帯振動端末装置１６の種類及び振動パターンに応じた報知パターンの一例を示す図である。図３は携帯振動端末装置１６が携帯電話の場合であり、図４は携帯振動端末装置１６がブレスレット型の振動端末装置の場合である。
【００４９】
なお、図３及び図４に示す報知パターンは、一例であり、操作部１１からの操作入力により使用者によって適宜設定することができる。また、報知パターンは、携帯電話であっても、サイズや機種などが異なり振動パターン及び振動パターンによる報知内容が異なる場合には、報知内容が異なるそれぞれの携帯電話毎に設定することができる。このことは、携帯電話以外の他の携帯振動端末装置１６であっても同様である。
【００５０】
図３において、携帯振動端末装置１６としての携帯電話では、振動が例えば４つの振動パターン１〜振動パターン４に分類される。振動パターン１は、「家族からの電話の着信」を報知する振動であり、振動パターン２は、「家族以外からの電話の着信」を報知する振動である。振動パターン３は、「電子メールの着信」を報知する振動であり、振動パターン４は、「目覚まし」を目的とした報知を行う振動である。
【００５１】
報知部１３、フラッシュライト１７−１及びベッドシェーカ１７−２は、通常モードと就寝モードとの２つの報知モードを備えているものとする。通常モードは、通常時に実施される報知の形態であり、就寝モードは、使用者が就寝時に実施される報知の形態である。
【００５２】
通常モード時における振動パターン１では、報知部１３は、ＬＥＤを点滅し、報知内容に応じた文字をディスプレイに表示することで、「家族からの電話の着信」を報知する。また、フラッシュライト１７−１は、ＬＥＤなどのライトを点灯または点滅して「家族からの電話の着信」を報知し、ベッドシェーカ１７−２は報知しない。
【００５３】
通常モード時における振動パターン２では、報知部１３は、ＬＥＤを点滅し、報知内容に応じた文字をディスプレイに表示することで、「家族以外からの電話の着信」を報知する。また、フラッシュライト１７−１は、ＬＥＤなどのライトを点灯または点滅して「家族以外からの電話の着信」を報知し、ベッドシェーカ１７−２は報知しない。
【００５４】
通常モード時における振動パターン３では、報知部１３は、報知内容に応じた文字をディスプレイに表示することで、「電子メールの着信」を報知する。また、フラッシュライト１７−１は、ＬＥＤなどのライトを点灯または点滅して「電子メールの着信」を報知し、ベッドシェーカ１７−２は報知しない。
【００５５】
通常モード時における振動パターン４では、報知部１３、フラッシュライト１７−１及びベッドシェーカ１７−２は、すべて報知しない。
【００５６】
就寝モード時における振動パターン１では、報知部１３は、ＬＥＤを点滅し、報知内容に応じた文字をディスプレイに表示することで、「家族からの電話の着信」を報知する。また、フラッシュライト１７−１は、報知せず、ベッドシェーカ１７−２は、振動により「家族からの電話の着信」を報知する。
【００５７】
就寝モード時における振動パターン２及び振動パターン３では、報知部１３、フラッシュライト１７−１及びベッドシェーカ１７−２は、すべて報知しない。
【００５８】
就寝モード時における振動パターン４では、報知部１３は、ＬＥＤを点滅し、報知内容に応じた文字をディスプレイに表示することで、「起床時刻である旨」を報知する。また、フラッシュライト１７−１は、報知せず、ベッドシェーカ１７−２は、振動により「起床時刻である旨」を報知する。
【００５９】
図４において、携帯振動端末装置１６としてのブレスレット型の携帯振動端末装置では、振動が例えば３つの振動パターン１〜振動パターン３に分類される。振動パターン１は、「電話の着信」を報知する振動であり、振動パターン２は、「電子メールの着信」を報知する振動であり、振動パターン３は、予め設定された「時報」を報知する振動である。
【００６０】
報知部１３、フラッシュライト１７−１及びベッドシェーカ１７−２は、通常モードと就寝モードとの２つの報知モードを備えているものとする。
【００６１】
通常モード時における振動パターン１では、報知部１３は、ＬＥＤを点滅し、報知内容に応じた文字をディスプレイに表示することで、「電話の着信」を報知する。また、フラッシュライト１７−１は、ＬＥＤなどのライトを点灯または点滅して「電話の着信」を報知し、ベッドシェーカ１７−２は報知しない。
【００６２】
通常モード時における振動パターン２では、報知部１３は、ＬＥＤを点滅し、報知内容に応じた文字をディスプレイに表示することで、「電子メールの着信」を報知する。また、フラッシュライト１７−１は、ＬＥＤなどのライトを点灯または点滅して「電話の着信」を報知し、ベッドシェーカ１７−２は報知しない。
【００６３】
通常モード時における振動パターン３では、報知部１３は、報知内容に応じた文字をディスプレイに表示することで、「時報」を報知する。また、フラッシュライト１７−１、ベッドシェーカ１７−２は報知しない。
【００６４】
就寝モード時における振動パターン１では、報知部１３は、ＬＥＤを点滅し、報知内容に応じた文字をディスプレイに表示することで、「電話の着信」を報知する。また、フラッシュライト１７−１は、報知せず、ベッドシェーカ１７−２は、振動により「電話の着信」を報知する。
【００６５】
就寝モード時における振動パターン２及び振動パターン３では、報知部１３、フラッシュライト１７−１及びベッドシェーカ１７−２は、すべて報知しない。
【００６６】
次に、図５のフローチャートを参照して、実施形態の振動検出処理の手順を説明する。
【００６７】
図５において、振動検出報知装置１が起動されると、まず使用者が、ステップＳ５０１にて、操作部１１を操作して操作部１１からの操作入力により報知モードを設定する。ここで、携帯振動端末装置１６が、携帯電話またはブレスレット型の携帯振動端末装置の場合には、報知モードは図３及び図４に示す通常モードまたは就寝モードの何れか一方が選択される。
【００６８】
報知モードが設定された後、携帯振動端末装置１６が、ステップＳ５０２にて、載置台１０１に載置されると、測定部１０３は、ステップＳ５０３にて、載置台１０１に載置された携帯振動端末装置１６の重量を測定する。測定部１０３は、ステップＳ５０３にて、測定した携帯振動端末装置１６の重量を制御部１５に与える。
【００６９】
振動検出部１０２は、ステップＳ５０４にて、載置台１０１に載置された携帯振動端末装置１６が振動したか否かを判別する。判別の結果、振動が検出された場合には（ＹＥＳ）、ステップＳ５０５に示す処理が実行される。一方、判別の結果、振動が検出されなかった場合には（ＮＯ）、振動検出部１０２は、ステップＳ５０４に示す携帯振動端末装置１６が振動したか否かを判別する判別処理を続行する。
【００７０】
振動検出部１０２は、ステップＳ５０５にて、検出した振動を電気信号に変換して、変換で得られた電気信号を振動検出信号として制御部１５に与える。
【００７１】
制御部１５は、ステップＳ５０６にて、振動検出部１０２から与えられた振動検出信号に基づいて、検出された振動の振動パターンを抽出する。
【００７２】
制御部１５は、ステップＳ５０７にて、測定部１０３で測定された重量と記憶部１２に登録された携帯振動端末装置１６の重量とを比較照合する。また、制御部１５は、ステップＳ５０７にて、振動検出部１０２で検出された振動の振動パターンと記憶部１２に登録された携帯振動端末装置１６の振動パターンとを比較照合する。
【００７３】
制御部１５は、ステップＳ５０８にて、測定された重量及び検出された振動の振動パターンに一致する重量と振動パターンとの双方が記憶部１２に記憶されているか否か判別する。これにより、制御部１５は、測定された重量と検出された振動の振動パターンとの双方が記憶部１２に登録されているか否か検索する。
【００７４】
検索の結果、登録されている場合には（ＹＥＳ）、制御部１５は、ステップＳ５０９にて、登録されている重量及び振動パターンに対応して記憶部１２に登録された報知パターンを記憶部１２から読み出す。制御部１５は、ステップＳ５１０にて、記憶部１２から読み出した報知パターンにしたがって、報知部１３及び報知装置１７に報知指令を与える。
【００７５】
報知部１３及び報知装置１７は、ステップＳ５１１にて、制御部１５から与えられた報知指令に基づいて、報知を行う。
【００７６】
例えば、載置台１０１に載置された携帯振動端末装置１６が携帯電話であり、検出された振動が振動パターン１である場合には、図３に示すようにして、「家族からの電話の着信」の報知が行われる。
【００７７】
すなわち、振動検出報知装置１及び報知装置１７が通常モードに設定されている場合には、報知部１３は、ＬＥＤを点滅し、使用者が「家族からの電話の着信」を認識できる文字をディスプレイに表示する。さらに、フラッシュライト１７−１は、ＬＥＤなどのライトを点灯または点滅して「家族からの電話の着信」を報知する一方、ベッドシェーカ１７−２は作動せず報知を行わない。
【００７８】
振動検出報知装置１及び報知装置１７が就寝モードに設定されている場合には、報知部１３は、通常モードと同様にＬＥＤを点滅し、使用者が「家族からの電話の着信」を認識できる文字をディスプレイに表示することで、「家族からの電話の着信」の報知を行う。フラッシュライト１７−１は、作動せず報知を行わない一方、ベッドシェーカ１７−２は振動して報知を行う。
【００７９】
振動パターン２〜振動パターン４においても、報知部１３及び報知装置１７は、図３に示す報知パターンにしたがって報知を行う。
【００８０】
一方、載置台１０１に載置された携帯振動端末装置１６がブレスレット型の振動端末装置であり、検出された振動が振動パターン１である場合には、図４に示すようにして、「電話の着信」の報知が行われる。
【００８１】
すなわち、振動検出報知装置１及び報知装置１７が通常モードに設定されている場合には、報知部１３は、ＬＥＤを点滅し、使用者が「電話の着信」を認識できる文字をディスプレイに表示する。さらに、フラッシュライト１７−１は、ＬＥＤなどのライトを点灯または点滅して「電話の着信」を報知する一方、ベッドシェーカ１７−２は作動せず報知を行わない。
【００８２】
振動検出報知装置１及び報知装置１７が就寝モードに設定されている場合には、報知部１３は、通常モードと同様にＬＥＤを点滅し、使用者が「電話の着信」を認識できる文字をディスプレイに表示することで、「電話の着信」の報知を行う。フラッシュライト１７−１は、作動せず報知を行わない一方、ベッドシェーカ１７−２は振動して報知を行う。
【００８３】
振動パターン２、振動パターン３においても、報知部１３及び報知装置１７は、図４に示す報知パターンにしたがって報知を行う。
【００８４】
図５に戻って、ステップＳ５０８に示す検索の結果、登録されていない場合には（ＮＯ）、制御部１５は、ステップＳ５１２にて、抽出した振動パターンに基づいて、暫定的な報知パターンを作成する。制御部１５は、例えば暫定的な報知パターンを既定値として予め用意しておき、用意した既定値から選択することにより暫定的な報知パターンを作成することができる。
【００８５】
制御部１５は、ステップＳ５１３にて、作成した報知パターンにしたがって、報知部１３及び報知装置１７に対して報知指令を与える。
【００８６】
報知部１３及び報知装置１７は、ステップＳ５１４にて、制御部１５から与えられた報知指令に基づいて、報知を行う。
【００８７】
制御部１５は、ステップＳ５１５にて、振動を検出した携帯振動端末装置１６を特定する重量と振動パターンとの双方を振動検出報知装置１の記憶部１２に登録するか否かを確認する確認メッセージを報知部１３のディスプレイに表示する。
【００８８】
このようにして、振動検出報知装置１による上述の一連の検出動作及び報知動作が終了する。
【００８９】
続いて、使用者が報知部１３に表示された確認メッセージを参照して、振動を検出した携帯振動端末装置１６を特定する重量と振動パターンを登録する場合には、振動検出報知装置１は、図６に示すフローチャートにしたがって、登録処理を実行する。
【００９０】
次に、図６のフローチャートを参照して、登録処理の手順を説明する。
【００９１】
図５において、制御部１５は、ステップＳ６０１にて、振動を検出した携帯振動端末装置１６の重量が記憶部１２に登録されているか否かを判別する。判別の結果、登録されていない場合（ＮＯ）、制御部１５は、ステップＳ６０２にて、携帯振動端末装置１６の重量及び種類を登録するか否かの確認メッセージを報知部１３のディスプレイに表示する。
【００９２】
使用者は、ステップＳ６０３にて、報知部１３に表示された確認メッセージを参照して、携帯振動端末装置１６を特定するための重量及び種類を登録するか否かを判断する。判断の結果、使用者が登録を行う場合には（ＹＥＳ）、ステップＳ６０４に示す処理が実行される。
【００９３】
使用者が登録を行う場合には、使用者は、ステップＳ６０４にて、測定された携帯振動端末装置１６の重量に対応して携帯振動端末装置１６の種類を操作部１１を介して入力する。例えば、使用者は、登録する携帯振動端末装置１６の種類が携帯電話であることを入力する。さらに、使用者は、携帯電話の機種などを入力することも可能である。
【００９４】
携帯振動端末装置１６の種類が登録されると、続いて制御部１５は、ステップＳ６０５にて、今回検出された振動の振動パターンを登録するか否かを確認する確認メッセージを報知部１３のディスプレイに表示する。
【００９５】
また、先のステップＳ６０１に示す携帯振動端末装置１６の重量が記憶部１２に登録されているか否かを判別する判別処理において、以下に示す場合には、ステップＳ６０５に示す処理が実行される。すなわち、ステップＳ６０１の判別処理において、携帯振動端末装置１６の重量のみが登録されて携帯振動端末装置１６の種類が特定されている場合には（ＹＥＳ）、ステップＳ６０５に示す処理が実行される。
【００９６】
制御部１５は、ステップＳ６０５にて、今回抽出された振動パターンを登録するか否かの確認メッセージを報知部１３のディスプレイに表示する。
【００９７】
使用者は、ステップＳ６０６にて、報知部１３に表示された確認メッセージを参照して、振動パターンを登録するか否かを判断する。判断の結果、使用者が登録を行う場合には（ＹＥＳ）、ステップＳ６０７に示す処理が実行される。
【００９８】
使用者が登録を行う場合には、使用者は、ステップＳ６０７にて、操作部１１を介して今回抽出された振動パターンに対応した報知パターンを入力する。例えば、携帯振動端末装置１６が携帯電話であり、今回検出された振動パターンが「家族からの電話の着信」を報知する振動パターンである場合には、使用者は例えば図３の振動パターン１に示す報知パターンを入力する。
【００９９】
報知パターンが使用者により入力されると、制御部１５は、ステップＳ６０８にて、携帯振動端末装置１６の重量、種類、振動パターン及び報知パターンを対応させて記憶部１２に記憶する。これにより、今回振動が検出された携帯振動端末装置１６を特定する登録が完了する。
【０１００】
一方、先のステップＳ６０３に示す処理において、使用者が携帯振動端末装置１６の重量の登録を行わない場合には（ＮＯ）、ステップＳ６０９に示す処理が実行される。制御部１５は、ステップＳ６０９にて、今回重量が測定された携帯振動端末装置１６の種類を予め既定値として設定された「未確認」とする。
【０１０１】
さらに続けて、制御部１５は、ステップＳ６１０にて、今回抽出した振動パターンを予め既定値として設定された「未確認」とする。
【０１０２】
先のステップＳ６０６の判別処理の結果、使用者が携帯振動端末装置１６を特定する登録を行わない場合には（ＮＯ）、上記ステップＳ６１０に示す処理が実行される。
【０１０３】
制御部１５は、ステップＳ６０８にて、今回重量及び振動が検出された携帯振動端末装置１６の種類及び振動パターンを「未確認」として記憶部１２に記憶する。これにより、今回重量及び振動が検出された携帯振動端末装置１６の種類及び振動パターンは、携帯振動端末装置１６を特定しない「未確認」として記憶部１２に登録される。携帯振動端末装置１６の種類及び振動パターンを「未確認」とした場合には、携帯振動端末装置１６の種類及び振動パターンに対応した報知パターンは登録されない。
【０１０４】
このようにして、振動検出報知装置１による上述の一連の登録処理が終了する。
【０１０５】
以上説明したように、実施形態の振動検出報知装置１は、以下に示す技術的特徴を備えることにより以下に示す効果を得ることができる。
【０１０６】
振動検出報知装置１は、携帯振動端末装置１６の外観または重量を測定する測定部１０３と、携帯振動端末装置１６の振動を検出する振動検出部１０２とを備える。振動検出報知装置１は、測定部１０３で測定された測定情報及び振動検出部１０２で検出された振動に基づいて、報知パターンを取得する制御部１５を備える。振動検出報知装置１は、制御部１５で取得された報知パターンに基づいて報知を行う報知部１３を備える。振動検出報知装置１は、制御部１５で取得された報知パターンに基づいて、報知装置１７に報知指令を与える出力部１４を備える。
【０１０７】
上記技術的特徴を採用することにより、振動検出報知装置１は、特定の携帯振動端末装置１６の振動を検出する専用のホルダなどの装置を用いることなく、不特定な携帯振動端末装置１６の振動を検出して、検出した振動に応じた報知内容を報知することができる。
【０１０８】
また、振動検出報知装置１は、使用者が携帯振動端末装置１６を装用していなくとも、携帯振動端末装置１６の振動を検出して、検出した振動に応じた報知内容を報知することができる。
【０１０９】
振動検出報知装置１は、携帯振動端末装置１６の種類、携帯振動端末装置の測定情報、携帯振動端末装置１６の振動パターン及び報知パターンが対応付けて登録された記憶部１２を備える。振動検出報知装置１が備えた制御部１５は、振動検出部１０２で検出された振動に基づいて携帯振動端末装置１６の振動パターンを抽出する。制御部１５は、記憶部１２を参照することにより、測定部１０３で測定された測定情報に基づいて携帯振動端末装置１６の種類を特定し、携帯振動端末装置１６の種類及び振動パターンに基づいて報知パターンを記憶部１２から取得する。
【０１１０】
上記技術的特徴を採用することにより、振動検出報知装置１は、容易にかつ簡便に報知パターンを取得することができる。
【０１１１】
制御部１５は、振動検出部１０２で振動が検出された携帯振動端末装置１６の測定情報及び振動パターンが記憶部１２に登録されていない場合には、報知パターンを作成して取得する。
【０１１２】
上記技術的特徴を採用することにより、振動検出報知装置１は、携帯振動端末装置１６の測定情報及び振動パターンが記憶部１２に登録されていない場合であっても、取得した報知パターンに基づいて、携帯振動端末装置１６の報知を行うことができる。
【０１１３】
制御部１５は、振動検出部１０２で振動が検出された携帯振動端末装置１６の測定情報及び振動パターンが記憶部１２に登録されていない場合には、登録するか否かを確認する確認メッセージの画面を報知部１３に表示する。
【０１１４】
上記技術的特徴を採用することにより、振動検出報知装置１は、使用者が携帯振動端末装置１６を登録するか否かを任意に選択することができる。
【０１１５】
制御部１５は、使用者が確認メッセージを参照して、登録を選択した場合には、携帯振動端末装置１６の測定情報、種類、振動パターン及び報知パターンを対応付けて記憶部１２に記憶して登録する。
【０１１６】
上記技術的特徴を採用することにより、振動検出報知装置１は、不特定の携帯振動端末装置１６であって、携帯振動端末装置１６を登録することにより携帯振動端末装置１６を特定することができる。
【０１１７】
制御部１５は、記憶部１２に登録された携帯振動端末装置１６に係る情報を適宜変更して設定する。
【０１１８】
上記技術的特徴を採用することにより、振動検出報知装置１は、使用者の意向に応じて、報知パターンをカスタマイズすることができる。
【０１１９】
携帯振動端末装置１６は、携帯電話、ブレスレット型の振動端末装置、携帯情報端末装置、ページャ装置を含む。
【０１２０】
これにより、振動検出報知装置１は、種類が異なる様々な携帯振動端末装置１６の振動を検出して、検出した振動に応じた報知内容を報知することができる。
【０１２１】
報知装置１７は、例えば、点灯または点滅により報知を行うフラッシュライト１７−１と、振動により報知を行うベッドシェーカ１７−２とを備えている。
【０１２２】
これにより、振動検出報知装置１は、様々な状況に応じた報知を行うことができる。例えば、使用者が就寝中は、ベッドシェーカ１７−２を振動させることで就寝中の使用者に報知する一方、寝室とは別の部屋に設置されたフラッシュライト１７−１による報知は行わないようにすることができる。報知装置１７は、上記のものに限らず、使用者に報知できる装置であればよい。
【０１２３】
振動検出報知装置１で実行される振動検出報知方法は、載置台１０１に載置された携帯振動端末装置１６を測定し、載置台１０１に載置された携帯振動端末装置１６の振動を検出する。振動検出報知方法は、測定された測定情報及び検出された振動に基づいて報知パターンを取得し、取得した報知パターンに基づいて報知を行う。
【０１２４】
本実施形態では、携帯振動端末装置１６の重量及び載置台１０１に載置された携帯振動端末装置１６の振動に基づいて報知パターンを取得している。しかし、本発明は、重量に限らず、載置台１０１に載置して携帯振動端末装置１６を測定できる重量または外観（形状、大きさ等）のうち少なくとも一つを含むものであればよい。その場合、例えば、測定部１０３内に図示しない撮像部やセンサ等を設けて携帯振動端末装置１６の形状や大きさ等を取得すればよい。
測定情報とは、携帯振動端末装置１６の外観または重量を測定部１０３により測定した結果の情報である。ここでは、重量または外観の情報を指すが、これに限定されない。
【０１２５】
上記技術的特徴を採用することにより、振動検出報知方法は、特定の携帯振動端末装置１６の振動を検出する専用のホルダなどの装置を用いることなく、不特定な携帯振動端末装置１６の振動を検出して、検出した振動に応じた報知内容を報知することができる。
【０１２６】
また、振動検出報知方法は、使用者が携帯振動端末装置１６を装用していなくとも、携帯振動端末装置１６の振動を検出して、検出した振動に応じた報知内容を報知することができる。
【０１２７】
振動検出報知装置１は、コンピュータに、以下の機能を実現させる振動検出報知プログラムを実行する。実現させる機能は、載置台１０１に載置された携帯振動端末装置１６を測定部１０３に測定させる機能と、載置台１０１に載置された携帯振動端末装置１６の振動を振動検出部１０２に検出させる機能である。実現させる機能は、測定部１０３で測定された携帯振動端末装置１６の測定情報と振動検出部１０２で検出された携帯振動端末装置１６の振動に基づいて報知パターンを取得する機能である。
【０１２８】
実現させる機能は、取得した報知パターンに基づいて、報知を報知部１３に行わせる機能である。実現させる機能は、取得した報知パターンに基づいて、報知装置１７に報知指令を与える機能である。
【０１２９】
振動検出報知装置１は、上記振動検出報知プログラムを実行することにより、特定の携帯振動端末装置１６の振動を検出する専用のホルダなどの装置を用いることなく、不特定な携帯振動端末装置１６の振動を検出して、報知することができる。
【０１３０】
また、振動検出報知装置１は、使用者が携帯振動端末装置１６を装用していなくとも、携帯振動端末装置１６の振動を検出して、検出した振動に応じた報知内容を報知することができる。
【符号の説明】
【０１３１】
１  振動検出報知装置
１０  振動端末載置部
１１  操作部
１２  記憶部
１３  報知部
１４  出力部
１５  制御部
１６  携帯振動端末装置
１７  報知装置
１０１  載置台
１０２  振動検出部
１０３  測定部
【図１】
2017005360.tif 000003
【図２】
2017005360.tif 000004
【図３】
2017005360.tif 000005
【図４】
2017005360.tif 000006
【図５】
2017005360.tif 000007
【図６】
2017005360.tif 000008